【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2001526220.tif 000001
（式中、Ｂは置換または非置換の、三環式までの、窒素、酸素および硫黄からなる群より選ばれる０〜４個の基を含む少なくとも５または６個の芳香族構造を有する炭素原子３０個までのアリールまたは複素環式アリール部分を表し、Ｂが置換された基である場合、過ハロ置換までのハロゲンおよびＸn からなる群より独立して選ばれる一またはそれ以上の置換基により置換され、ｎは０〜３であり、および各Ｘは−ＣＮ、−ＣＯ2 Ｒ5 、−Ｃ（Ｏ）ＮＲ5 Ｒ5'、−Ｃ（Ｏ）Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ  （Ｏ）Ｒ5'、Ｃ1 −Ｃ10アルキル、Ｃ2 −Ｃ10アルケニル、Ｃ1 −Ｃ10アルコキシ、Ｃ3 −Ｃ10シクロアルキル、Ｃ6 −Ｃ14アリール、Ｃ7 −Ｃ24アルクアリール、Ｃ3 −Ｃ13複素環式アリール、Ｃ4 −Ｃ23アルク複素環式アリール、置換Ｃ1 −Ｃ10アルキル、置換Ｃ2 −Ｃ10アルケニル、置換Ｃ1 −Ｃ10アルコキシ、置換Ｃ3 −Ｃ10シクロアルキル、置換Ｃ4 −Ｃ23アルク複素環式アリールおよび−Ｙ−Ａｒからなる群より独立して選ばれ；
Ｘが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、−ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 −Ｃ10アルキル、Ｃ2 −Ｃ10アルケニル、Ｃ3 −Ｃ10シクロアルキル、Ｃ6 −Ｃ14アリール、Ｃ3 −Ｃ13複素環式アリール、Ｃ7 −Ｃ24アルクアリール、Ｃ4 −Ｃ23アルク複素環式アリール、過ハロ置換までのＣ1 −Ｃ10アルキル、過ハロ置換までのＣ2 −Ｃ10アルケニル、過ハロ置換までのＣ3 −Ｃ10シクロアルキル、過ハロ置換までのＣ6 −Ｃ14アリールおよび過ハロ置換までのＣ3 −Ｃ13複素環式アリールからなる群より独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 ＮＲ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、
ｍは１〜３、およびＸa はハロゲンを表し；および
Ａｒは過ハロ置換までのハロゲンにより非置換または置換した窒素、酸素および硫黄からなる群より選ばれる０〜４個の基を含む５〜１０個の芳香族構造を表し、任意にはＺn1により置換していてもよく、ｎ１は０〜３であり、および各Ｚは−ＣＮ、＝Ｏ、−ＣＯ2 Ｒ5 、−Ｃ（Ｏ）ＮＲ5 Ｒ5'、−Ｃ（Ｏ）−ＮＲ5 、−ＮＯ2 、−ＯＲ5 、−ＳＲ5 ，−ＮＲ5 Ｒ5'、−ＮＲ5 Ｃ（Ｏ）ＯＲ5'、−Ｃ（Ｏ）Ｒ5 、−ＮＲ5 Ｃ（Ｏ）Ｒ5'、−ＳＯ2 Ｒ5 、ＳＯ2 ＮＲ5 Ｒ5'、Ｃ1 −Ｃ10アルキル、Ｃ1 〜Ｃ10アルコキシル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ、Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'、−ＮＲ5 Ｃ（Ｏ）ＯＲ5'、Ｃ1 −Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換され、ならびに
Ａは
【化２】
2001526220.tif 000002
からなる群より選ばれる複素環式アリール部分を表し、
Ｒ1 はハロゲン、Ｃ3 〜Ｃ10アルキル、Ｃ3 〜Ｃ10シクロアルキル、Ｃ1 〜Ｃ13複素環式アリール、Ｃ6 〜Ｃ14アリール、Ｃ7 〜Ｃ24アルクアリール、過ハロ置換までのＣ1 〜Ｃ10アルキル、過ハロ置換までのＣ3 〜Ｃ10シクロアルキル、過ハロ置換までのＣ1 〜Ｃ13複素環式アリール、過ハロ置換までのＣ6 〜Ｃ14アリールおよび過ハロ置換までのＣ7 〜Ｃ24アルクアリールからなる群より選ばれ；Ｒ2 はＨ、−Ｃ（Ｏ）Ｒ4 、−ＣＯ2 Ｒ4 、−Ｃ（Ｏ）ＮＲ3 Ｒ3'、Ｃ1 〜Ｃ10アルキル、Ｃ3 〜Ｃ10シクロアルキル、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より選ばれ、
Ｒ2 が置換された基である場合、−ＣＮ、−ＣＯ2 Ｒ4 、−Ｃ（Ｏ）−ＮＲ3 Ｒ3'、−ＮＯ2 、−ＯＲ4 、−ＳＲ4 および過ハロ置換までのハロゲンからなる群より独立して選ばれる一またはそれ以上の置換基により置換され、
Ｒ3 およびＲ3'はＨ、−ＯＲ4 、−ＳＲ4 、−ＮＲ4 Ｒ4'、−Ｃ（Ｏ）Ｒ4 、−ＣＯ2 Ｒ4 、−Ｃ（Ｏ）ＮＲ4 Ｒ4'、Ｃ1 〜Ｃ10アルキル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ3 〜Ｃ10シクロアルキル、過ハロ置換までのＣ6 〜Ｃ14アリールおよび過ハロ置換までのＣ3 〜Ｃ13複素環式アリールからなる群より独立して選ばれ、および
Ｒ4 およびＲ4'はＨ、Ｃ1 〜Ｃ10アルキル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ3 〜Ｃ10シクロアルキル、過ハロ置換までのＣ6 〜Ｃ14アリールおよび過ハロ置換までのＣ3 〜Ｃ13複素環式アリールからなる群より独立して選ばれ、
Ｒa はＣ1 〜Ｃ10アルキル、Ｃ3 〜Ｃ10シクロアルキル、過ハロ置換までのＣ1 〜Ｃ10アルキルおよび過ハロ置換までのＣ3 〜Ｃ10シクロアルキルを表し；および
Ｒb は水素またはハロゲンを表し、
Ｒc は水素、ハロゲン、Ｃ1 〜Ｃ10アルキル、過ハロ置換までのＣ1 〜Ｃ10アルキルを表すか、またはＲ1 およびＲc が結合してＯ、ＮおよびＳから選ばれる０−２個の基を有する５または６個のシクロアルキル、アリールまたはヘタリール環を形成するＲ1 と環状炭素原子との結合を表し；
ただしＡは
【化３】
2001526220.tif 000003
を表し、Ｂは
【化４】
2001526220.tif 000004
ではない）
で示される化合物からなるｒａｆキナ−ゼに媒介されるがん細胞成長の治療用医薬。
【請求項２】  Ｂが
【化５】
2001526220.tif 000005
からなる群より選ばれる三環式までの芳香族環状構造を表し、過ハロ置換までのハロゲンにより置換または非置換され、および
ｎは０〜３であり、および
各Ｘは  −ＣＮ、−ＣＯ2 Ｒ5 、−Ｃ（Ｏ）ＮＲ5 Ｒ5'、−Ｃ（Ｏ）Ｒ5 、−ＮＯ2 、−ＯＲ5 ，−ＳＲ5 、−ＮＲ5 Ｒ5'、−ＮＲ5 Ｃ（Ｏ）ＯＲ5'、−ＮＲ5 Ｃ（Ｏ）Ｒ5'、Ｃ1 −Ｃ10アルキル、Ｃ2 〜Ｃ10アルケニル、Ｃ1 〜Ｃ10アルコキシ、Ｃ3 〜Ｃ10シクロアルキル、Ｃ6 〜Ｃ14アリール、Ｃ7 〜Ｃ24アルクアリール、Ｃ3 〜Ｃ13複素環式アリール、Ｃ4 〜Ｃ23アルク複素環式アリールおよび置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換Ｃ4 〜Ｃ23アルク複素環式アリールおよび−Ｙ−Ａｒからなる群より独立して選ばれ；
Ｘが置換された基である場合、−ＣＮ、−ＣＯ2 Ｒ5 、−（Ｏ）Ｒ5 、−Ｃ（Ｏ）ＮＲ5 Ｒ5'、−ＯＲ5 、−ＳＲ5 、−ＮＲ5 Ｒ5'、ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され、
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 ＮＲ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、
ｍは１〜３、およびＸa はハロゲンを表し；および
Ａｒは過ハロ置換までのハロゲンにより非置換または置換した窒素、酸素および硫黄からなる群より選ばれる０〜２個の基を含む５〜１０個の芳香族構造を表し、任意にはＺn1により置換していてもよく、ｎ１は０〜３であり、および各Ｚは−ＣＮ、＝Ｏ、−ＣＯ2 Ｒ5 、−Ｃ（Ｏ）ＮＲ5 Ｒ5'、−Ｃ（Ｏ）Ｒ5 、−ＮＯ2 、−ＯＲ5 、−ＳＲ5 、−ＮＲ5 Ｒ5'、−ＮＲ5 Ｃ（Ｏ）ＯＲ5'、−Ｃ（Ｏ）Ｒ5 、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ1 〜Ｃ10アルコキシ、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、−ＯＲ5 、−ＳＲ5 、−ＮＯ2 、−ＮＲ5 Ｒ5'、＝Ｏ、−ＮＲ5 Ｃ（Ｏ）Ｒ5'、−ＮＲ5 Ｃ（Ｏ）ＯＲ5'、Ｃ1 〜Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換される請求項１記載の医薬。
【請求項３】  Ｂが
【化６】
2001526220.tif 000006
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−および−ＯＣＨ2 −からなる群より選ばれ、
Ｘa はハロゲンを表し、
Ｑは０〜２個の窒素を含む６個の芳香族構造を表し、過ハロ置換までのハロゲンにより置換または非置換され、
Ｑ1 は３〜１０個の炭素原子およびＮ、ＯおよびＳからなる群より選ばれる０〜４個の基の一環式または二環式芳香族構造を表し、過ハロ置換までのハロゲンにより非置換または非置換され、
Ｘ、Ｚ、ｎおよびｎｌは請求項１記載と同様であり、およびｓは０または１である請求項１記載の医薬。
【請求項４】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、またはＹ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項３記載の医薬。
【請求項５】  式：
【化７】
2001526220.tif 000007
（式中、Ｒ1 およびＲ2 は請求項１記載と同様である）で示される化合物を投与することからなる請求項１記載の医薬。
【請求項６】  Ｂが式：
【化８】
2001526220.tif 000008
で表され、Ｑはフェニルまたはピリジニルを表し、Ｑ1 はピリジニル、フェニルまたはベンゾチアゾリルを表し、Ｙは−Ｏ−、−Ｓ−、−ＣＨ2 Ｓ−、−ＳＣＨ2 −、−ＣＨ2 Ｏ−、−ＯＣＨ2 −または−ＣＨ2 −を表し、およびＺは−ＳＣＨ3 または−ＮＨ−Ｃ（Ｏ）−Ｃp Ｈ2p+1を表し、ｐは１〜４、ｎは０、ｓは１およびｎｌは０〜１である請求項５記載の医薬。
【請求項７】  Ｎ−（３−ｔｅｒｔ−ブチル−５−ピラゾリル）−Ｎ' −（４−フェニルオキシフェニル）尿素、
Ｎ−（３−ｔｅｒｔ−ブチル−５−ピラゾリル）−Ｎ' −（３−（３−メチルアミノカルボニルフェニル）オキシフェニル）尿素、
Ｎ−（３−ｔｅｒｔ−ブチル−５−ピラゾリル）−Ｎ' −（３−（４−ピリジニル）チオフェニル）尿素、
Ｎ−（３−ｔｅｒｔ−ブチル−５−ピラゾリル）−Ｎ' −（４−（４−ピリジニル）チオフェニル）尿素、
Ｎ−（３−ｔｅｒｔ−ブチル−５−ピラゾリル）−Ｎ' −（４−（４−ピリジニル）オキシフェニル）尿素、
Ｎ−（３−ｔｅｒｔ−ブチル−５−ピラゾリル）−Ｎ' −（４−（４−ピリジニル）メチルフェニル）尿素、
Ｎ−（１−メチル−３−ｔｅｒｔ−ブチル−５−ピラゾリル）−Ｎ' −（４−フェニルオキシフェニル）尿素、
Ｎ−（１−メチル−３−ｔｅｒｔ−ブチル−５−ピラゾリル）−Ｎ' −（３−（４−ピリジニル）チオフェニル）尿素、
Ｎ−（１−メチル−３−ｔｅｒｔ−ブチル−５−ピラゾリル）−Ｎ' −（（４−（４−ピリジニル）チオメチル）フェニル）尿素、
Ｎ−（１−メチル−３−ｔｅｒｔ−ブチル−５−ピラゾリル）−Ｎ' −（４−（４−ピリジニル）チオフェニル）尿素、
Ｎ−（１−メチル−３−ｔｅｒｔ−ブチル−５−ピラゾリル）−Ｎ' −（４−（４−ピリジニル）オキシフェニル）尿素、
Ｎ−（１−メチル−３−ｔｅｒｔ−ブチル−５−ピラゾリル）−Ｎ' −（（４−（４−ピリジニル）メチルオキシ）フェニル）尿素、
Ｎ−（１−メチル−３−ｔｅｒｔ−ブチル−５−ピラゾリル）−Ｎ' −（３−（２−ベンゾチアゾリル）オキシフェニル）尿素、
Ｎ−（３−ｔｅｒｔ−ブチル−５−ピラゾリル）−Ｎ' −（３−（４−ピリジル）チオフェニル）尿素、
Ｎ−（３−ｔｅｒｔ−ブチル−５−ピラゾリル）−Ｎ' −（４−（４−ピリジル）チオフェニル）尿素、
Ｎ−（３−ｔｅｒｔ−ブチル−５−ピラゾリル）−Ｎ' −（３−（４−ピリジル）オキシフェニル）尿素、
Ｎ−（３−ｔｅｒｔ−ブチル−５−ピラゾリル）−Ｎ' −（４−（４−ピリジル）オキシフェニル）尿素、
Ｎ−（１−メチル−３−ｔｅｒｔ−ブチル−５−ピラゾリル）−Ｎ' −（３−（４−ピリジル）チオフェニル）尿素、
Ｎ−（１−メチル−３−ｔｅｒｔ−ブチル−５−ピラゾリル）−Ｎ' −（４−（４−ピリジル）チオフェニル）尿素、
Ｎ−（１−メチル−３−ｔｅｒｔ−ブチル−５−ピラゾリル）−Ｎ' −（３−（４−ピリジル）オキシフェニル）尿素、
Ｎ−（１−メチル−３−ｔｅｒｔ−ブチル−５−ピラゾリル）−Ｎ' −（４−（４−ピリジル）オキシフェニル）尿素
およびそれらの薬学的に許容しうる塩からなる群より選ばれる化合物からなる請求項１記載の医薬。
【請求項８】  Ｒ1 がｔ−ブチルを表す請求項５記載の医薬。
【請求項９】  式：
【化９】
2001526220.tif 000009
（式中、Ｒ1 およびＢは請求項１記載と同様）で示される化合物からなる請求項１記載の医薬。
【請求項１０】  Ｂが式：
【化１０】
2001526220.tif 000010
で表され、Ｑはフェニルまたはピリジニルを表し、Ｑ1 はピリジニル、フェニルまたはベンゾチアゾリルを表し、Ｙは−Ｏ−、−Ｓ−、−Ｃ（Ｏ）−または−ＣＨ2 −を表し、Ｘは−ＣＨ3 を表しおよびＺは−ＮＨ−Ｃ（Ｏ）−Ｃp Ｈ2p+1を表し、ｐは１〜４、−ＣＨ3 、−ＯＨ、−ＯＣＨ3 、−Ｃ2 Ｈ5 、−ＣＮまたは−Ｃ  （Ｏ）ＣＨ3 であり、ｎは０または１、ｓは０または１およびｎｌは０または１である請求項９記載の医薬。
【請求項１１】  Ｎ−（５−ｔｅｒｔ−ブチル−３−イソキサゾリル）−Ｎ' −（４−（４−ヒドロキシフェニル）オキシフェニル）尿素、
Ｎ−（５−ｔｅｒｔ−ブチル−３−イソキサゾリル）−Ｎ' −（４−（３−ヒドロキシフェニル）オキシフェニル）尿素、
Ｎ−（５−ｔｅｒｔ−ブチル−３−イソキサゾリル）−Ｎ' −（４−（４−アセチルフェニル）オキシフェニル）尿素、
Ｎ−（５−ｔｅｒｔ−ブチル−３−イソキサゾリル）−Ｎ' −（３−ベンゾイルフェニル）尿素、
Ｎ−（５−ｔｅｒｔ−ブチル−３−イソキサゾリル）−Ｎ' −（４−フェニルオキシフェニル）尿素、
Ｎ−（５−ｔｅｒｔ−ブチル−３−イソキサゾリル）−Ｎ' −（４−（３−メチルアミノカルボニルフェニル）チオフェニル）尿素、
Ｎ−（５−ｔｅｒｔ−ブチル−３−イソキサゾリル）−Ｎ' −（４−（４−（１，２−メチレンジオキシ）フェニル）オキシフェニル）尿素、
Ｎ−（５−ｔｅｒｔ−ブチル−３−イソキサゾリル）−Ｎ' −（４−（３−ピリジニル）オキシフェニル）尿素、
Ｎ−（５−ｔｅｒｔ−ブチル−３−イソキサゾリル）−Ｎ' −（４−（４−ピリジニル）オキシフェニル）尿素、
Ｎ−（５−ｔｅｒｔ−ブチル−３−イソキサゾリル）−Ｎ' −（４−（４−ピリジル）チオフェニル）尿素、
Ｎ−（５−ｔｅｒｔ−ブチル−３−イソキサゾリル）−Ｎ' −（４−（４−ピリジニル）メチルフェニル）尿素、
Ｎ−（５−ｔｅｒｔ−ブチル−３−イソキサゾリル）−Ｎ' −（３−（４−ピリジニル）オキシフェニル）尿素、
Ｎ−（５−ｔｅｒｔ−ブチル−３−イソキサゾリル）−Ｎ' −（３−（４−ピリジニル）チオフェニル）尿素、
Ｎ−（５−ｔｅｒｔ−ブチル−３−イソキサゾリル）−Ｎ' −（３−（３−メチル−４−ピリジニル）オキシフェニル）尿素、
Ｎ−（５−ｔｅｒｔ−ブチル−３−イソキサゾリル）−Ｎ' −（３−（３−メチル−４−ピリジニル）チオフェニル）尿素、
Ｎ−（５−ｔｅｒｔ−ブチル−３−イソキサゾリル）−Ｎ' −（４−（３−メチル−４−ピリジニル）チオフェニル）尿素、
Ｎ−（５−ｔｅｒｔ−ブチル−３−イソキサゾリル）−Ｎ' −（３−（４−メチル−３−ピリジニル）オキシフェニル）尿素、
Ｎ−（５−ｔｅｒｔ−ブチル−３−イソキサゾリル）−Ｎ' −（４−（３−メチル−４−ピリジニル）オキシフェニル）尿素、
Ｎ−（５−ｔｅｒｔ−ブチル−３−イソキサゾリル）−Ｎ' −（３−（２−ベンゾチアゾリル）オキシフェニル）尿素、
Ｎ−（５−ｔｅｒｔ−ブチル−３−イソキサゾリル）−Ｎ' −（３−クロロ−４−（４−（２−メチルカルバモイル）ピリジル）オキシフェニル）尿素、
Ｎ−（５−ｔｅｒｔ−ブチル−３−イソキサゾリル）−Ｎ' −（４−（４−（２−メチルカルバモイル）ピリジル）オキシフェニル）尿素、
Ｎ−（５−ｔｅｒｔ−ブチル−３−イソキサゾリル）−Ｎ' −（３−（４−（２−メチルカルバモイル）ピリジル）チオフェニル）尿素、
Ｎ−（５−ｔｅｒｔ−ブチル−３−イソキサゾリル）−Ｎ' −（２−メチル−４−（４−（２−メチルカルバモイル）ピリジル）オキシフェニル）尿素、
Ｎ−（５−ｔｅｒｔ−ブチル−３−イソキサゾリル）−Ｎ' −（４−（４−（２−カルバモイル）ピリジル）オキシフェニル）尿素、
Ｎ−（５−ｔｅｒｔ−ブチル−３−イソキサゾリル）−Ｎ' −（３−（４−（２−カルバモイル）ピリジル）オキシフェニル）尿素、
Ｎ−（５−ｔｅｒｔ−ブチル−３−イソキサゾリル）−Ｎ' −（３−（４−（２−メチルカルバモイル）ピリジル）オキシフェニル）尿素、
Ｎ−（５−ｔｅｒｔ−ブチル−３−イソキサゾリル）−Ｎ' −（４−（４−（２−メチルカルバモイル）ピリジル）チオフェニル）尿素、
Ｎ−（５−ｔｅｒｔ−ブチル−３−イソキサゾリル）−Ｎ' −（３−クロロ−４−（４−（２−メチルカルバモイル）ピリジル）オキシフェニル）尿素、
Ｎ−（５−ｔｅｒｔ−ブチル−３−イソキサゾリル）−Ｎ' −（４−（３−メチルカルバモイル）フェニル）オキシフェニル）尿素；およびそれらの薬学的に許容しうる塩からなる群より選ばれる化合物からなる請求項１記載の医薬。
【請求項１２】  Ｒ1 がｔ−ブチルを表す請求項１０記載の医薬。
【請求項１３】  式：
【化１１】
2001526220.tif 000011
（式中、Ｒ1 およびＢは請求項１記載と同様）で示される化合物からなる請求項１記載の医薬。
【請求項１４】  Ｂが式：
【化１２】
2001526220.tif 000012
で表され、Ｑはフェニルまたはピリジニル、Ｑ1 はフェニル、ベンゾチアゾリルまたはピリジニル、Ｙは−Ｏ−、−Ｓ−または−ＣＨ2 −を表し、Ｚは−ＣＨ3 、−Ｃｌ、−ＯＣ2 Ｈ5 または−ＯＣＨ3 を表し、ｎは０、ｓは１、およびｎｌは０または１である請求項１３記載の医薬。
【請求項１５】  Ｎ−（３−イソプロピル−５−イソキサゾリル）−Ｎ' −（４−（４−ピリジニル）チオフェニル）尿素、
Ｎ−（３−ｔｅｒｔ−ブチル−５−イソキサゾリル）−Ｎ' −（４−（４−メトキシフェニル）オキシフェニル）尿素、
Ｎ−（３−ｔｅｒｔ−ブチル−５−イソキサゾリル）−Ｎ' −（５−（２−（４−アセチルフェニル）オキシ）ピリジニル）尿素、
Ｎ−（３−ｔｅｒｔ−ブチル−５−イソキサゾリル）−Ｎ' −（３−（４−ピリジニル）チオフェニル）尿素、
Ｎ−（３−ｔｅｒｔ−ブチル−５−イソキサゾリル）−Ｎ' −（４−（４−ピリジニル）メチルフェニル）尿素、
Ｎ−（３−ｔｅｒｔ−ブチル−５−イソキサゾリル）−Ｎ' −（４−（４−ピリジニル）チオフェニル）尿素、
Ｎ−（３−ｔｅｒｔ−ブチル−５−イソキサゾリル）−Ｎ' −（４−（４−ピリジニル）オキシフェニル）尿素、
Ｎ−（３−ｔｅｒｔ−ブチル−５−イソキサゾリル）−Ｎ' −（４−（４−メチル−３−ピリジニル）オキシフェニル）尿素、
Ｎ−（３−ｔｅｒｔ−ブチル−５−イソキサゾリル）−Ｎ' −（３−（２−ベンゾチアゾリル）オキシフェニル）尿素、
Ｎ−（３−（１，１−ジメチルプロピル）−５−イソキサゾリル）−Ｎ' −（４−（４−メチルフェニル）オキシフェニル）尿素、
Ｎ−（３−（１，１−ジメチルプロピル）−５−イソキサゾリル）−Ｎ' −（３−（４−ピリジニル）チオフェニル）尿素、
Ｎ−（３−（１，１−ジメチルプロピル）−５−イソキサゾリル）−Ｎ' −（４−（４−ピリジニル）オキシフェニル）尿素、
Ｎ−（３−（１，１−ジメチルプロピル）−５−イソキサゾリル）−Ｎ' −（４−（４−ピリジニル）チオフェニル）尿素、
Ｎ−（３−（１，１−ジメチルプロピル）−５−イソキサゾリル）−Ｎ' −（５−（２−（４−メトキシフェニル）オキシ）ピリジニル）尿素、
Ｎ−（３−（１−メチル−１−エチルプロピル）−５−イソキサゾリル）−Ｎ' −（４−（４−ピリジニル）オキシフェニル）尿素、
Ｎ−（３−（１−メチル−１−エチルプロピル）−５−イソキサゾリル）−Ｎ' −（３−（４−ピリジニル）チオフェニル）尿素、
Ｎ−（３−イソプロピル−５−イソキサゾリル）−Ｎ' −（３−（４−（２−メチルカルバモイル）ピリジル）オキシフェニル）尿素、
Ｎ−（３−イソプロピル−５−イソキサゾリル）−Ｎ' −（４−（４−（２−メチルカルバモイル）ピリジル）オキシフェニル）尿素、
Ｎ−（３−ｔｅｒｔ−ブチル−５−イソキサゾリル）−Ｎ' −（３−（４−（２−メチルカルバモイル）ピリジル）オキシフェニル）尿素、
Ｎ−（３−ｔｅｒｔ−ブチル−５−イソキサゾリル）−Ｎ' −（４−（４−（２−メチルカルバモイル）ピリジル）オキシフェニル）尿素、
Ｎ−（３−ｔｅｒｔ−ブチル−５−イソキサゾリル）−Ｎ' −（３−（４−（２−メチルカルバモイル）ピリジル）チオフェニル）尿素、
Ｎ−（３−（１，１−ジメチルプロプ−１−イル）−５−イソキサゾリル）−Ｎ' −（３−（４−（２−メチルカルバモイル）ピリジル）オキシフェニル）尿素、
Ｎ−（３−（１，１−ジメチルプロプ−１−イル）−５−イソキサゾリル）−Ｎ' −（４−（４−（２−メチルカルバモイル）ピリジル）オキシフェニル）尿素、
Ｎ−（３−ｔｅｒｔ−ブチル−５−イソキサゾリル）−Ｎ' −（３−クロロ−４−（４−（２−メチルカルバモイル）ピリジル）チオフェニル）尿素
およびそれらの薬学的に許容しうる塩からなる群より選ばれる化合物からなる請求項１記載の医薬。
【請求項１６】  Ｒ1 がｔ−ブチルを表す請求項１３記載の医薬。
【請求項１７】  式：
【化１３】
2001526220.tif 000013
（式中、Ｒ1 、Ｒb およびＢは請求項１記載と同様）で示される化合物からなる請求項１記載の医薬。
【請求項１８】  Ｂが式：
【化１４】
2001526220.tif 000014
で表され、Ｑはフェニル、Ｑ1 はフェニルまたはピリジニル、Ｙは−Ｏ−または−Ｓ−、Ｚは−Ｃｌ、−ＣＨ3 、−ＯＨまたはＯＣＨ3 を表し、ｎは０、ｓは０または１、およびｎｌは０〜２である請求項１７記載の医薬。
【請求項１９】  Ｎ−（５−ｔｅｒｔ−ブチル−３−チエニル）−Ｎ' −（４−（３−メチルフェニル）オキシフェニル）尿素、
Ｎ−（５−ｔｅｒｔ−ブチル−３−チエニル）−Ｎ' −（４−（４−ヒドロキシフェニル）オキシフェニル）尿素、
Ｎ−（５−ｔｅｒｔ−ブチル−３−チエニル）−Ｎ' −（４−（４−メトキシフェニル）オキシフェニル）尿素、
Ｎ−（５−ｔｅｒｔ−ブチル−３−チエニル）−Ｎ' −（４−（４−ピリジニル）チオフェニル）尿素
およびそれらの薬学的に許容しうる塩からなる群より選ばれる化合物からなる請求項１記載の医薬。
【請求項２０】  Ｒ1 がｔ−ブチルを表す請求項１７記載の医薬。
【請求項２１】  式：
【化１５】
2001526220.tif 000015
（式中、Ｒa およびＢは請求項１記載と同様）で示される化合物からなる請求項１記載の医薬。
【請求項２２】  Ｂが式：
【化１６】
2001526220.tif 000016
で表され、Ｑはフェニル、Ｑ1 はフェニルまたはピリジニル、Ｙは−Ｏ−または−Ｓ−を表し、ｓは１、ｎは０、およびｎｌは０である請求項２１記載の医薬。
【請求項２３】  Ｎ−（５−ｔｅｒｔ−ブチル−２−（１−チア−３，４−ジアゾリル））−Ｎ' −（３−（４−ピリジニル）チオフェニル）尿素、
Ｎ−（５−ｔｅｒｔ−ブチル−２−（１−チア−３，４−ジアゾリル））−Ｎ' −（４−（４−ピリジニル）オキシフェニル）尿素
およびそれらの薬学的に許容しうる塩からなる群より選ばれる化合物からなる請求項２記載の医薬。
【請求項２４】  Ｒa がＣＦ3 −またはｔ−ブチルを表す請求項２１記載の医薬。
【請求項２５】  式：
【化１７】
2001526220.tif 000017
（式中、Ｒ1 およびＢは請求項１記載と同様）で示される化合物からなる請求項１記載の医薬。
【請求項２６】  Ｂが過ハロ置換までのフェニル、過ハロ置換までのピリジニルを表すか、または式：
【化１８】
2001526220.tif 000018
で表され、Ｑはフェニル、Ｑ1 はフェニルまたはピリジニル、およびＹは−Ｏ−または−Ｓ−、Ｚは−Ｃｌ、−ＣＨ3 、−ＯＨまたは−ＯＣＨ3 を表し、ｎは０、ｓは０または１、およびｎｌは０〜２である請求項２５記載の医薬。
【請求項２７】  Ｒ1 がｔ−ブチルを表す請求項２５記載の医薬。
【請求項２８】  式：
【化１９】
2001526220.tif 000019
（式中、Ｒ1 およびＲb は請求項１記載と同様）で示される化合物からなる請求項１記載の医薬。
【請求項２９】  Ｂが式：
【化２０】
2001526220.tif 000020
で表され、Ｑはフェニル、Ｑ1 はフェニルまたはピリジニルを表し、およびＹは−Ｏ−または−Ｓ−、Ｚは−Ｃｌまたは−ＯＣＨ3 を表し、ｎは０、ｓは０または１およびｎｌは０〜２である請求項２８記載の医薬。
【請求項３０】  Ｒ1 がｔ−ブチルを表す請求項２８記載の医薬。
【請求項３１】  式：
【化２１】
2001526220.tif 000021
（式中、Ｒ2 はＨ、−Ｃ（Ｏ）Ｒ4 、−ＣＯ2 Ｒ4 、−Ｃ（Ｏ）ＮＲ3 Ｒ3'、Ｃ1 〜Ｃ10アルキル、Ｃ3 〜Ｃ10シクロアルキル、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より選ばれ、Ｒ2 が置換された基である場合、−ＣＮ、−ＣＯ2 Ｒ4 、−Ｃ（Ｏ）−ＮＲ3 Ｒ3'、−ＮＯ2 、−ＯＲ4 、−ＳＲ4 および過ハロ置換までのハロゲンからなる群より独立して選ばれる一またはそれ以上の置換基により置換され、
Ｒ3 およびＲ3'はＨ、−ＯＲ4 、−ＳＲ4 、−ＮＲ4 Ｒ4'、−Ｃ（Ｏ）Ｒ4 、−ＣＯ2 Ｒ4 、−Ｃ（Ｏ）ＮＲ4 Ｒ4'、Ｃ1 〜Ｃ10アルキル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ3 〜Ｃ10シクロアルキル、過ハロ置換までのＣ6 〜Ｃ14アリールおよび過ハロ置換までのＣ3 〜Ｃ13複素環式アリールからなる群より独立して選ばれ；および
Ｒ4 およびＲ4'はＨ、Ｃ1 〜Ｃ10アルキル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ3 〜Ｃ10シクロアルキル、過ハロ置換までのＣ6 〜Ｃ14アリールおよび過ハロ置換までのＣ3 〜Ｃ13複素環式アリールからなる群より独立して選ばれ、
Ｒ1 はハロゲン、Ｃ3 〜Ｃ10アルキル、Ｃ1 〜Ｃ13複素環式アリール、Ｃ6 〜Ｃ14アリール、Ｃ7 〜Ｃ24アルクアリール、Ｃ3 〜Ｃ10シクロアルキル、過ハロ置換までのＣ1 〜Ｃ10アルキル、過ハロ置換までのＣ3 〜Ｃ10シクロアルキル、過ハロ置換までのＣ1 〜Ｃ13複素環式アリール、過ハロ置換までのＣ6 〜Ｃ14アリールおよび過ハロ置換までのＣ7 〜Ｃ24アルクアリールからなる群より選ばれ、Ｒc は水素、ハロゲン、Ｃ1 〜Ｃ10アルキル、過ハロ置換までのＣ1 〜Ｃ10アルキルであるか、またはＲ1 およびＲc が結合してＯ、ＮおよびＳから選ばれる０〜２個の基を有する５または６個のシクロアルキル、アリールまたは複素環式アリール環を形成するＲ1 と環状炭素原子との結合であり、
Ｂは
【化２２】
2001526220.tif 000022
からなる群より選ばれる三環式までの芳香族環状構造を表し、過ハロ置換までのハロゲンにより置換または非置換され、およびｎは０〜２であり；各Ｘ1 はＸの群または−ＣＮ、−ＣＯ2 Ｒ5 、−Ｃ（Ｏ）Ｒ5 、−Ｃ（Ｏ）ＮＲ5 Ｒ5'、−ＯＲ5 、−ＮＯ2 、−ＮＲ5 Ｒ5'、Ｃ1 〜Ｃ10アルキル、Ｃ2 〜Ｃ10アルケニル、Ｃ1 〜Ｃ10アルコキシ、Ｃ3 〜Ｃ10シクロアルキル、Ｃ6 〜Ｃ14アリールおよびＣ7 〜Ｃ24アルクアリールからなる群の基より独立して選ばれ、Ｘは−ＳＲ5 、−ＮＲ5 Ｃ（Ｏ）ＯＲ5'、ＮＲ5 Ｃ（Ｏ）Ｒ5'、Ｃ3 〜Ｃ13複素環式アリール、Ｃ4 〜Ｃ23アルク複素環式アリール、置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換Ｃ6 〜Ｃ14アリール、置換Ｃ7 〜Ｃ24アルクアリール、置換Ｃ3 〜Ｃ13複素環式アリール、置換Ｃ4 〜Ｃ23アルク複素環式アリールおよび−Ｙ−Ａｒからなる群より選ばれ、
Ｘが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 Ｒ5'−、−ＮＲ5 Ｃ（Ｏ）−、−Ｃ（Ｏ）ＮＲ5 、−（ＣＨ2 ）m Ｓ−、−（ＣＨ2 ）m Ｎ（Ｒ5 ）−、−Ｏ  （ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、
ｍは１−３であり、およびＸa はハロゲンを表し；および
Ａｒは過ハロ置換までのハロゲンにより非置換または置換した窒素、酸素および硫黄からなる群より選ばれる０〜２個の基を含む５〜１０個の芳香族構造を表し、任意にはＺn1により置換していてもよく、ｎ１は０〜３であり、および各Ｚは−ＣＮ、−ＣＯ2 Ｒ5 、−Ｃ（Ｏ）Ｒ5 、＝Ｏ、−Ｃ（Ｏ）ＮＲ5 Ｒ5'、−Ｃ（Ｏ）Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ1 〜Ｃ10アルコキシ、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'、−ＮＲ5 Ｃ（Ｏ）ＯＲ5'、Ｃ1 〜Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換され、
ただし、Ｒ1 がｔ−ブチルであり、およびＲ2 がメチルである場合、Ｂは
【化２３】
2001526220.tif 000023
ではない）
で示される化合物。
【請求項３２】  Ｂが
【化２４】
2001526220.tif 000024
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−および−ＯＣＨ2 −からなる群より選ばれ、
Ｘa はハロゲンを表し、
Ｑは０〜２個の窒素を含む、過ハロ置換までのハロゲンにより置換または非置換した６個の芳香族構造を表し、
Ｑ1 は３〜１０個の炭素原子およびＮ、ＯおよびＳからなる群より選ばれる０〜４個の基の一環式または二環式芳香族構造を表し、過ハロ置換までのハロゲンにより非置換または非置換され、
Ｘ、Ｚ、ｎおよびｎｌは請求項３１記載と同様であり、およびｓは０または１である請求項３１記載の化合物。
【請求項３３】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、または−Ｙ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項３２記載の化合物。
【請求項３４】  Ｑはフェニルまたはピリジニルを表し、Ｑ1 はピリジニル、フェニルまたはベンゾチアゾリルを表し、Ｙは−Ｏ−、−Ｓ−、−ＣＨ2 Ｓ−、−ＳＣＨ2 −、−ＣＨ2 Ｏ−、−ＯＣＨ2 −または−ＣＨ2 −を表し、およびＺは−ＳＣＨ3 または−ＮＨ−Ｃ（Ｏ）−Ｃp Ｈ2p+1を表し、ｐは１〜４、ｎは０、ｓは１、およびｎｌは０〜１である請求項３２記載の化合物。
【請求項３５】  式：
【化２５】
2001526220.tif 000025
（式中、Ｒ2 およびＢは請求項３１記載と同様）で示される請求項３１記載の化合物。
【請求項３６】  Ｎ−（３−ｔｅｒｔ−ブチル−５−ピラゾリル）−Ｎ' −（４−フェニルオキシフェニル）尿素、
Ｎ−（３−ｔｅｒｔ−ブチル−５−ピラゾリル）−Ｎ' −（３−（３−メチルアミノカルボニルフェニル）オキシフェニル）尿素、
Ｎ−（３−ｔｅｒｔ−ブチル−５−ピラゾリル）−Ｎ' −（３−（４−ピリジニル）チオフェニル）尿素、
Ｎ−（３−ｔｅｒｔ−ブチル−５−ピラゾリル）−Ｎ' −（４−（４−ピリジニル）チオフェニル）尿素、
Ｎ−（３−ｔｅｒｔ−ブチル−５−ピラゾリル）−Ｎ' −（４−（４−ピリジニル）オキシフェニル）尿素、
Ｎ−（３−ｔｅｒｔ−ブチル−５−ピラゾリル）−Ｎ' −（４−（４−ピリジニル）メチルフェニル）尿素、
Ｎ−（１−メチル−３−ｔｅｒｔ−ブチル−５−ピラゾリル）−Ｎ' −（４−フェニルオキシフェニル）尿素、
Ｎ−（１−メチル−３−ｔｅｒｔ−ブチル−５−ピラゾリル）−Ｎ' −（３−（４−ピリジニル）チオフェニル）尿素、
Ｎ−（１−メチル−３−ｔｅｒｔ−ブチル−５−ピラゾリル）−Ｎ' −（（４−（４−ピリジニル）チオメチル）フェニル）尿素、
Ｎ−（１−メチル−３−ｔｅｒｔ−ブチル−５−ピラゾリル）−Ｎ' −（４−（４−ピリジニル）チオフェニル）尿素、
Ｎ−（１−メチル−３−ｔｅｒｔ−ブチル−５−ピラゾリル）−Ｎ' −（４−（４−ピリジニル）オキシフェニル）尿素、
Ｎ−（１−メチル−３−ｔｅｒｔ−ブチル−５−ピラゾリル）−Ｎ' −（（４−（４−ピリジニル）メチルオキシ）フェニル）尿素、
Ｎ−（１−メチル−３−ｔｅｒｔ−ブチル−５−ピラゾリル）−Ｎ' −（３−（２−ベンゾチアゾリル）オキシフェニル）尿素、
Ｎ−（３−ｔｅｒｔ−ブチル−５−ピラゾリル）−Ｎ' −（３−（４−ピリジル）チオフェニル）尿素、
Ｎ−（３−ｔｅｒｔ−ブチル−５−ピラゾリル）−Ｎ' −（４−（４−ピリジル）チオフェニル）尿素、
Ｎ−（３−ｔｅｒｔ−ブチル−５−ピラゾリル）−Ｎ' −（３−（４−ピリジル）オキシフェニル）尿素、
Ｎ−（３−ｔｅｒｔ−ブチル−５−ピラゾリル）−Ｎ' −（４−（４−ピリジル）オキシフェニル）尿素、
Ｎ−（１−メチル−３−ｔｅｒｔ−ブチル−５−ピラゾリル）−Ｎ' −（３−（４−ピリジル）チオフェニル）尿素、
Ｎ−（１−メチル−３−ｔｅｒｔ−ブチル−５−ピラゾリル）−Ｎ' −（４−（４−ピリジル）チオフェニル）尿素、
Ｎ−（１−メチル−３−ｔｅｒｔ−ブチル−５−ピラゾリル）−Ｎ' −（３−（４−ピリジル）オキシフェニル）尿素、
Ｎ−（１−メチル−３−ｔｅｒｔ−ブチル−５−ピラゾリル）−Ｎ' −（４−（４−ピリジル）オキシフェニル）尿素
およびそれらの薬学的に許容しうる塩からなる群より選ばれる請求項３１記載の化合物。
【請求項３７】  式：
【化２６】
2001526220.tif 000026
（式中、Ｒ1 はハロゲン、Ｃ3 〜Ｃ10アルキル、Ｃ3 〜Ｃ10シクロアルキル、Ｃ1 〜Ｃ13複素環式アリール、Ｃ6 〜Ｃ14アリール、Ｃ7 〜Ｃ24アルクアリール、過ハロ置換までのＣ1 〜Ｃ10アルキル、過ハロ置換までのＣ3 −Ｃ10シクロアルキル、過ハロ置換までのＣ1 〜Ｃ13複素環式アリール、過ハロ置換までのＣ6 〜Ｃ14アリールおよび過ハロ置換までのＣ7 〜Ｃ24アルクアリールからなる群より選ばれ；
Ｂは
【化２７】
2001526220.tif 000027
からなる群より選ばれる三環式までの芳香族環状構造を表し；
過ハロ置換までのハロゲンにより置換または非置換され、および
ｎは０〜２であり；
各Ｘ1 はＸの群または−ＣＮ、−ＣＯ2 Ｒ5 、−Ｃ（Ｏ）Ｒ5 、−Ｃ（Ｏ）ＮＲ5 Ｒ5'、−ＯＲ5 、−ＮＯ2 、−ＮＲ5 Ｒ5'、Ｃ1 〜Ｃ10アルキル、Ｃ2 〜Ｃ10アルケニル、Ｃ1 〜Ｃ10アルコキシ、Ｃ3 〜Ｃ10シクロアルキル、Ｃ6 〜Ｃ14アリールおよびＣ7 〜Ｃ24アルクアリールからなる群の基より独立して選ばれ、および
Ｘは−ＳＲ5 、−ＮＲ5 Ｃ（Ｏ）ＯＲ5'、ＮＲ5 Ｃ（Ｏ）Ｒ5'、Ｃ3 〜Ｃ13複素環式アリール、Ｃ4 〜Ｃ23アルク複素環式アリール、置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換Ｃ6 〜Ｃ14アリール、置換Ｃ7 〜Ｃ24アルクアリール、置換Ｃ3 〜Ｃ13複素環式アリール、置換Ｃ4 〜Ｃ23アルク複素環式アリールおよび−Ｙ−Ａｒからなる群より選ばれ、および
Ｘが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 Ｒ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、
ｍは１〜３であり、およびＸa はハロゲンを表し；および
Ａｒは過ハロ置換までのハロゲンにより非置換または置換した窒素、酸素および硫黄からなる群より選ばれる０〜２個の基を含む５〜１０個の芳香族構造を表し、任意にはＺn1により置換していてもよく、ｎ１は０〜３であり、および各Ｚは−ＣＮ、−ＣＯ2 Ｒ5 、−Ｃ（Ｏ）Ｒ5 、＝Ｏ、−Ｃ（Ｏ）ＮＲ5 Ｒ5'、−Ｃ（Ｏ）Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ1 〜Ｃ10アルコキシ、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'、−ＮＲ5 Ｃ（Ｏ）ＯＲ5'、Ｃ1 −Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換され、
ただし、Ｒ1 がｔ−ブチルである場合、Ｂは
【化２８】
2001526220.tif 000028
ではなく、Ｒ6 は−ＮＨＣ（Ｏ）−Ｏ−ｔ−ブチル、−Ｏ−ｎ−ペンチル、−Ｏ−ｎ−ブチル、−Ｏ−ｎ−プロピル、−Ｃ（Ｏ）ＮＨ−（ＣＨ3 ）2 、−ＯＣＨ2 ＣＨ（ＣＨ3 ）2 または
【化２９】
2001526220.tif 000029
を表す）
で示される化合物。
【請求項３８】  Ｂが
【化３０】
2001526220.tif 000030
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−および−ＯＣＨ2 −からなる群より選ばれ、
Ｘa はハロゲンを表し、
Ｑは０〜２個の窒素を含む６個の芳香族構造を表し、過ハロ置換までのハロゲンにより置換または非置換され、
Ｑ1 は３〜１０個の炭素原子およびＮ、ＯおよびＳからなる群より選ばれる０〜４個の基の一環式または二環式芳香族構造を表し、過ハロ置換までのハロゲンにより非置換または非置換され、
Ｘ、Ｚ、ｎおよびｎｌは請求項３７記載と同様であり、およびｓは０または１である請求項３７記載の化合物。
【請求項３９】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、または−Ｙ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項３８記載の化合物。
【請求項４０】  Ｑはフェニルまたはピリジニルを表し、Ｑ1 はピリジニル、フェニルまたはベンゾチアゾリルを表し、Ｙは−Ｏ−、−Ｓ−、−Ｃ（Ｏ）−または−ＣＨ2 −を表し、およびＺは−ＮＨ−Ｃ（Ｏ）−Ｃp Ｈ2p+1を表し、ｐは１−４、−ＣＨ3 、−ＯＨ、−ＯＣＨ3 、−ＯＣ2 Ｈ5 、−ＣＮまたは−Ｃ（Ｏ）ＣＨ3 、ｎは０または１、ｓは０または１、およびｎｌは０または１である請求項３８記載の化合物。
【請求項４１】  Ｎ−（５−ｔｅｒｔ−ブチル−３−イソキサゾリル）−Ｎ' −（４−（４−ヒドロキシフェニル）オキシフェニル）尿素、
Ｎ−（５−ｔｅｒｔ−ブチル−３−イソキサゾリル）−Ｎ' −（４−（３−ヒドロキシフェニル）オキシフェニル）尿素、
Ｎ−（５−ｔｅｒｔ−ブチル−３−イソキサゾリル）−Ｎ' −（４−（４−アセチルフェニル）オキシフェニル）尿素、
Ｎ−（５−ｔｅｒｔ−ブチル−３−イソキサゾリル）−Ｎ' −（３−ベンゾイルフェニル）尿素、
Ｎ−（５−ｔｅｒｔ−ブチル−３−イソキサゾリル）−Ｎ' −（４−フェニルオキシフェニル）尿素、
Ｎ−（５−ｔｅｒｔ−ブチル−３−イソキサゾリル）−Ｎ' −（４−（３−メチルアミノカルボニルフェニル）チオフェニル）尿素、
Ｎ−（５−ｔｅｒｔ−ブチル−３−イソキサゾリル）−Ｎ' −（４−（４−（１，２−メチレンジオキシ）フェニル）オキシフェニル）尿素、
Ｎ−（５−ｔｅｒｔ−ブチル−３−イソキサゾリル）−Ｎ' −（４−（３−ピリジニル）オキシフェニル）尿素、
Ｎ−（５−ｔｅｒｔ−ブチル−３−イソキサゾリル）−Ｎ' −（４−（４−ピリジニル）オキシフェニル）尿素、
Ｎ−（５−ｔｅｒｔ−ブチル−３−イソキサゾリル）−Ｎ' −（４−（４−ピリジル）チオフェニル）尿素、
Ｎ−（５−ｔｅｒｔ−ブチル−３−イソキサゾリル）−Ｎ' −（４−（４−ピリジニル）メチルフェニル）尿素、
Ｎ−（５−ｔｅｒｔ−ブチル−３−イソキサゾリル）−Ｎ' −（３−（４−ピリジニル）オキシフェニル）尿素、
Ｎ−（５−ｔｅｒｔ−ブチル−３−イソキサゾリル）−Ｎ' −（３−（４−ピリジニル）チオフェニル）尿素、
Ｎ−（５−ｔｅｒｔ−ブチル−３−イソキサゾリル）−Ｎ' −（３−（３−メチル−４−ピリジニル）オキシフェニル）尿素、
Ｎ−（５−ｔｅｒｔ−ブチル−３−イソキサゾリル）−Ｎ' −（３−（３−メチル−４−ピリジニル）チオフェニル）尿素、
Ｎ−（５−ｔｅｒｔ−ブチル−３−イソキサゾリル）−Ｎ' −（４−（３−メチル−４−ピリジニル）チオフェニル）尿素、
Ｎ−（５−ｔｅｒｔ−ブチル−３−イソキサゾリル）−Ｎ' −（３−（４−メチル−３−ピリジニル）オキシフェニル）尿素、
Ｎ−（５−ｔｅｒｔ−ブチル−３−イソキサゾリル）−Ｎ' −（４−（３−メチル−４−ピリジニル）オキシフェニル）尿素、
Ｎ−（５−ｔｅｒｔ−ブチル−３−イソキサゾリル）−Ｎ' −（３−（２−ベンゾチアゾリル）オキシフェニル）尿素、
Ｎ−（５−ｔｅｒｔ−ブチル−３−イソキサゾリル）−Ｎ' −（３−クロロ−４−（４−（２−メチルカルバモイル）ピリジル）オキシフェニル）尿素、
Ｎ−（５−ｔｅｒｔ−ブチル−３−イソキサゾリル）−Ｎ' −（４−（４−（２−メチルカルバモイル）ピリジル）オキシフェニル）尿素、
Ｎ−（５−ｔｅｒｔ−ブチル−３−イソキサゾリル）−Ｎ' −（３−（４−（２−メチルカルバモイル）ピリジル）チオフェニル）尿素、
Ｎ−（５−ｔｅｒｔ−ブチル−３−イソキサゾリル）−Ｎ' −（２−メチル−４−（４−（２−メチルカルバモイル）ピリジル）オキシフェニル）尿素、
Ｎ−（５−ｔｅｒｔ−ブチル−３−イソキサゾリル）−Ｎ' −（４−（４−（２−カルバモイル）ピリジル）オキシフェニル）尿素、
Ｎ−（５−ｔｅｒｔ−ブチル−３−イソキサゾリル）−Ｎ' −（３−（４−（２−カルバモイル）ピリジル）オキシフェニル）尿素、
Ｎ−（５−ｔｅｒｔ−ブチル−３−イソキサゾリル）−Ｎ' −（３−（４−（２−メチルカルバモイル）ピリジル）オキシフェニル）尿素、
Ｎ−（５−ｔｅｒｔ−ブチル−３−イソキサゾリル）−Ｎ' −（４−（４−（２−メチルカルバモイル）ピリジル）チオフェニル）尿素、
Ｎ−（５−ｔｅｒｔ−ブチル−３−イソキサゾリル）−Ｎ' −（３−クロロ−４−（４−（２−メチルカルバモイル）ピリジル）オキシフェニル）尿素、
Ｎ−（５−ｔｅｒｔ−ブチル−３−イソキサゾリル）−Ｎ' −（４−（３−メチルカルバモイル）フェニル）オキシフェニル）尿素；
およびそれらの薬学的に許容しうる塩からなる群より選ばれる請求項２２記載の化合物。
【請求項４２】  式
【化３１】
2001526220.tif 000031
（式中、Ｂは請求項３７記載と同様）で示される請求項３７記載の化合物。
【請求項４３】  式：
【化３２】
2001526220.tif 000032
（式中、Ｒ1 はハロゲン、Ｃ3 〜Ｃ10アルキル、Ｃ1 〜Ｃ13複素環式アリール、Ｃ6 〜Ｃ14アリール、Ｃ7 〜Ｃ24アルクアリール、Ｃ3 〜Ｃ10シクロアルキル、過ハロ置換までのＣ1 〜Ｃ10アルキル、過ハロ置換までのＣ3 −Ｃ10シクロアルキル、過ハロ置換までのＣ1 〜Ｃ13複素環式アリール、過ハロ置換までのＣ6 〜Ｃ14アリールおよび過ハロ置換までのＣ7 〜Ｃ24アルクアリールからなる群より選ばれ；ならびに
Ｂは
【化３３】
2001526220.tif 000033
からなる群より選ばれる芳香族環状構造を表し；
過ハロ置換までのハロゲンにより置換または非置換され、
およびｎは０〜２であり；
各Ｘ1 はＸの群または−ＣＮ、−ＣＯ2 Ｒ5 、−Ｃ（Ｏ）Ｒ5 、−Ｃ（Ｏ）ＮＲ5 Ｒ5'、−ＯＲ5 、−ＮＯ2 、−ＮＲ5 Ｒ5'、Ｃ1 〜Ｃ10アルキル、Ｃ2 〜Ｃ10アルケニル、Ｃ1 〜Ｃ10アルコキシ、Ｃ3 〜Ｃ10シクロアルキル、Ｃ6 〜Ｃ14アリールおよびＣ7 〜Ｃ24アルクアリールからなる群より独立して選ばれ、およびＸは−ＳＲ5 、−ＮＲ5 Ｃ（Ｏ）ＯＲ5'、ＮＲ5 Ｃ（Ｏ）Ｒ5'、Ｃ3 〜Ｃ13複素環式アリール、Ｃ4 〜Ｃ23アルク複素環式アリール、置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換Ｃ6 〜Ｃ14アリール、置換Ｃ7 〜Ｃ24アルクアリール、置換Ｃ3 〜Ｃ13複素環式アリール、置換Ｃ4 〜Ｃ23アルク複素環式アリールおよび−Ｙ−Ａｒからなる群より選ばれ、およびＸが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 Ｒ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、
ｍは１〜３であり、およびＸa はハロゲンを表し；および
Ａｒは過ハロ置換までのハロゲンにより非置換または置換した窒素、酸素および硫黄からなる群より選ばれる０〜２個の基を含む５または６個の芳香族構造を表し、任意にはＺn1により置換していてもよく、ｎ１は０〜３であり、および各Ｚは−ＣＮ、−ＣＯ2 Ｒ5 、−Ｃ（Ｏ）Ｒ5 、＝Ｏ、−Ｃ（Ｏ）ＮＲ5 Ｒ5'、−Ｃ（Ｏ）Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ1 〜Ｃ10アルコキシ、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'、−ＮＲ5 Ｃ（Ｏ）ＯＲ5'、Ｃ1 〜Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換され、
Ｒ1 がｔ−ブチルである場合、Ｂは
【化３４】
2001526220.tif 000034
ではなく、およびＲ1 が−ＣＨ2 −ｔ−ブチルである場合、Ｂは
【化３５】
2001526220.tif 000035
ではない）
で示される化合物。
【請求項４４】  Ｂが
【化３６】
2001526220.tif 000036
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−および−ＯＣＨ2 −からなる群より選ばれ、
Ｘa はハロゲンを表し、
Ｑは０〜４個の窒素を含む６個の芳香族構造を表し、過ハロ置換までのハロゲンにより置換または非置換され、
Ｑ1 は３〜１０個の炭素原子およびＮ、ＯおよびＳからなる群より選ばれる０〜２個の基の一環式または二環式芳香族構造を表し、過ハロ置換までのハロゲンにより非置換または非置換され、
Ｘ、Ｚ、ｎおよびｎｌは請求項４３記載と同様であり、およびｓは０または１である請求項４３記載の化合物。
【請求項４５】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、または−Ｙ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項４４記載の化合物。
【請求項４６】  式：
【化３７】
2001526220.tif 000037
（式中、Ｂは請求項４３記載と同様）で示される請求項４３記載の化合物。
【請求項４７】  Ｑはフェニルまたはピリジニルを表し、Ｑ1 はフェニル、ベンゾチアゾリルまたはピリジニルを表し、Ｙは−Ｏ−、−Ｓ−または−ＣＨ2 −を表し、Ｚは−ＣＨ3 、−Ｃｌ、−ＯＣ2 Ｈ5 または−ＯＣＨ3 を表し、ｎは０、ｓは１、およびｎｌは０または１である請求項４４記載の化合物。
【請求項４８】  Ｎ−（３−イソプロピル−５−イソキサゾリル）−Ｎ' −（４−（４−ピリジニル）チオフェニル）尿素、
Ｎ−（３−ｔｅｒｔ−ブチル−５−イソキサゾリル）−Ｎ' −（４−（４−メトキシフェニル）オキシフェニル）尿素、
Ｎ−（３−ｔｅｒｔ−ブチル−５−イソキサゾリル）−Ｎ' −（５−（２−（４−アセチルフェニル）オキシ）ピリジニル）尿素、
Ｎ−（３−ｔｅｒｔ−ブチル−５−イソキサゾリル）−Ｎ' −（３−（４−ピリジニル）チオフェニル）尿素、
Ｎ−（３−ｔｅｒｔ−ブチル−５−イソキサゾリル）−Ｎ' −（４−（４−ピリジニル）メチルフェニル）尿素、
Ｎ−（３−ｔｅｒｔ−ブチル−５−イソキサゾリル）−Ｎ' −（４−（４−ピリジニル）チオフェニル）尿素、
Ｎ−（３−ｔｅｒｔ−ブチル−５−イソキサゾリル）−Ｎ' −（４−（４−ピリジニル）オキシフェニル）尿素、
Ｎ−（３−ｔｅｒｔ−ブチル−５−イソキサゾリル）−Ｎ' −（４−（４−メチル−３−ピリジニル）オキシフェニル）尿素、
Ｎ−（３−ｔｅｒｔ−ブチル−５−イソキサゾリル）−Ｎ' −（３−（２−ベンゾチアゾリル）オキシフェニル）尿素、
Ｎ−（３−（１，１−ジメチルプロピル）−５−イソキサゾリル）−Ｎ' −（４−（４−メチルフェニル）オキシフェニル）尿素、
Ｎ−（３−（１，１−ジメチルプロピル）−５−イソキサゾリル）−Ｎ' −（３−（４−ピリジニル）チオフェニル）尿素、
Ｎ−（３−（１，１−ジメチルプロピル）−５−イソキサゾリル）−Ｎ' −（４−（４−ピリジニル）オキシフェニル）尿素、
Ｎ−（３−（１，１−ジメチルプロピル）−５−イソキサゾリル）−Ｎ' −（４−（４−ピリジニル）チオフェニル）尿素、
Ｎ−（３−（１，１−ジメチルプロピル）−５−イソキサゾリル）−Ｎ' −（５−（２−（４−メトキシフェニル）オキシ）ピリジニル）尿素、
Ｎ−（３−（１−メチル−１−エチルプロピル）−５−イソキサゾリル）−Ｎ' −（４−（４−ピリジニル）オキシフェニル）尿素、
Ｎ−（３−（１−メチル−１−エチルプロピル）−５−イソキサゾリル）−Ｎ' −（３−（４−ピリジニル）チオフェニル）尿素、
Ｎ−（３−イソプロピル−５−イソキサゾリル）−Ｎ' −（３−（４−（２−メチルカルバモイル）ピリジル）オキシフェニル）尿素、
Ｎ−（３−イソプロピル−５−イソキサゾリル）−Ｎ' −（４−（４−（２−メチルカルバモイル）ピリジル）オキシフェニル）尿素、
Ｎ−（３−ｔｅｒｔ−ブチル−５−イソキサゾリル）−Ｎ' −（３−（４−（２−メチルカルバモイル）ピリジル）オキシフェニル）尿素、
Ｎ−（３−ｔｅｒｔ−ブチル−５−イソキサゾリル）−Ｎ' −（４−（４−（２−メチルカルバモイル）ピリジル）オキシフェニル）尿素、
Ｎ−（３−ｔｅｒｔ−ブチル−５−イソキサゾリル）−Ｎ' −（３−（４−（２−メチルカルバモイル）ピリジル）チオフェニル）尿素、
Ｎ−（３−（１，１−ジメチルプロプ−１−イル）−５−イソキサゾリル）−Ｎ' −（３−（４−（２−メチルカルバモイル）ピリジル）オキシフェニル）尿素、
Ｎ−（３−（１，１−ジメチルプロプ−１−イル）−５−イソキサゾリル）−Ｎ' −（４−（４−（２−メチルカルバモイル）ピリジル）オキシフェニル）尿素、
Ｎ−（３−ｔｅｒｔ−ブチル−５−イソキサゾリル）−Ｎ' −（３−クロロ−４−（４−（２−メチルカルバモイル）ピリジル）チオフェニル）尿素；
およびそれらの薬学的に許容しうる塩からなる群より選ばれる請求項４３記載の化合物。
【請求項４９】  式：
【化３８】
2001526220.tif 000038
（式中、Ｒ1 はハロゲン、Ｃ3 〜Ｃ10アルキル、Ｃ1 〜Ｃ13複素環式アリール、Ｃ6 〜Ｃ14アリール、Ｃ7 〜Ｃ24アルクアリール、Ｃ3 〜Ｃ10シクロアルキル、過ハロ置換までのＣ1 〜Ｃ10アルキル、過ハロ置換までのＣ3 〜Ｃ10シクロアルキル、過ハロ置換までのＣ1 〜Ｃ13複素環式アリール、過ハロ置換までのＣ6 〜Ｃ14アリールおよび過ハロ置換までのＣ7 〜Ｃ24アルクアリールからなる群より選ばれ；
Ｒb は水素またはハロゲンを表し、ならびに
Ｂは
【化３９】
2001526220.tif 000039
からなる群より選ばれる芳香族環状構造を表し；
過ハロ置換までのハロゲンにより置換または非置換され、
およびｎは０〜２であり；各Ｘ1 はＸの群または−ＣＮ、−ＯＲ5 、−ＮＲ5 Ｒ5'、Ｃ1 〜Ｃ10アルキルからなる群より独立して選ばれ、および
Ｘは−ＣＯ2 Ｒ5 、−Ｃ（Ｏ）ＮＲ5 Ｒ5'、−Ｃ（Ｏ）Ｒ5 、−ＮＯ2 、−ＳＲ5 、−ＮＲ5 Ｃ（Ｏ）ＯＲ5'、ＮＲ5 Ｃ（Ｏ）Ｒ5'、Ｃ3 〜Ｃ10シクロアルキル、Ｃ6 〜Ｃ14アリール、Ｃ7 〜Ｃ24アルクアリール、Ｃ3 〜Ｃ13複素環式アリール、Ｃ4 〜Ｃ23アルク複素環式アリール、および置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換Ｃ6 〜Ｃ14アリール、置換Ｃ7 〜Ｃ24アルクアリール、置換Ｃ3 〜Ｃ13複素環式アリール、置換Ｃ4 〜Ｃ23アルク複素環式アリールおよび−Ｙ−Ａｒからなる群より選ばれ、
Ｘが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、−ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 Ｒ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、ｍは１〜３であり、およびＸa はハロゲンを表し；および
Ａｒは過ハロ置換までのハロゲンにより非置換または置換した窒素、酸素および硫黄からなる群より選ばれる０〜２個の基を含む５〜１０個の芳香族構造を表し、任意にはＺn1により置換していてもよく、ｎ１は０〜３であり、および各Ｚは−ＣＮ、−ＣＯ2 Ｒ5 、−Ｃ（Ｏ）Ｒ5 、＝Ｏ、−Ｃ（Ｏ）ＮＲ5 Ｒ5'、−Ｃ（Ｏ）−Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ1 〜Ｃ10アルコキシ、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'、−ＮＲ5 Ｃ（Ｏ）ＯＲ5'、Ｃ1 〜Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換され、
ただし、Ｒ1 がｔ−ブチルであり、およびＲb がＨである場合、Ｂは式：
【化４０】
2001526220.tif 000040
ではない）
で示される化合物。
【請求項５０】  Ｂが
【化４１】
2001526220.tif 000041
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−および−ＯＣＨ2 −からなる群より選ばれ、
Ｘa はハロゲンを表し、
Ｑは０〜２個の窒素を含む６個の芳香族構造を表し、過ハロ置換までのハロゲンにより置換または非置換され、
Ｑ1 は３〜１０個の炭素原子およびＮ、ＯおよびＳからなる群より選ばれる０〜４個の基の一環式または二環式芳香族構造を表し、過ハロ置換までのハロゲンにより非置換または非置換され、
Ｘ、Ｚ、ｎおよびｎｌは請求項４９記載と同様であり、およびｓは０または１である請求項４９記載の化合物。
【請求項５１】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、または−Ｙ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項５０記載の化合物。
【請求項５２】  式：
【化４２】
2001526220.tif 000042
（式中、Ｂは請求項４９記載と同様）で示される化合物。
【請求項５３】  Ｑはフェニル、Ｑ1 はフェニルまたはピリジニル、Ｙは−Ｏ−または−Ｓ−、Ｚは−Ｃｌ、−ＣＨ3 、−ＯＨまたは−ＯＣＨ3 を表し、ｎは０、ｓは０または１、およびｎｌは０〜２である請求項５０記載の方法。
【請求項５４】  Ｎ−（５−ｔｅｒｔ−ブチル−３−チエニル）−Ｎ' −（４−（３−メチルフェニル）オキシフェニル）尿素、
Ｎ−（５−ｔｅｒｔ−ブチル−３−チエニル）−Ｎ' −（４−（４−ヒドロキシフェニル）オキシフェニル）尿素、
Ｎ−（５−ｔｅｒｔ−ブチル−３−チエニル）−Ｎ' −（４−（４−メトキシフェニル）オキシフェニル）尿素、
Ｎ−（５−ｔｅｒｔ−ブチル−３−チエニル）−Ｎ' −（４−（４−ピリジニル）チオフェニル）尿素
およびそれらの薬学的に許容しうる塩からなる群より選ばれる請求項４９記載の化合物。
【請求項５５】  式：
【化４３】
2001526220.tif 000043
（式中、Ｒa はＣ1 〜Ｃ10アルキル、Ｃ3 〜Ｃ10シクロアルキル、過ハロ置換までのＣ1 〜Ｃ10アルキルおよび過ハロ置換までのＣ3 〜Ｃ10シクロアルキルを表し；
ならびにＢは
【化４４】
2001526220.tif 000044
からなる群より選ばれる芳香族環状構造を表し；
過ハロ置換までのハロゲンにより置換または非置換され、およびｎは０〜２であり、
各Ｘ1 はＸの群または−ＣＮ、−ＮＯ2 、−ＯＲ5 およびＣ1 〜Ｃ10アルキルからなる群より独立して選ばれ、および
Ｘは−ＳＲ5 、−ＣＯ2 Ｒ5 、−Ｃ（Ｏ）Ｒ5 、−Ｃ（Ｏ）ＮＲ5 Ｒ5'、−ＮＲ5 Ｒ5'、−ＮＲ5 Ｃ（Ｏ）ＯＲ5'、−ＮＲ5 Ｃ（Ｏ）Ｒ5'、Ｃ3 〜Ｃ10シクロアルキル、Ｃ6 〜Ｃ14アリール、Ｃ7 〜Ｃ24アルクアリール、Ｃ3 〜Ｃ13複素環式アリール、Ｃ4 〜Ｃ23アルク複素環式アリール、および置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換アリール、置換アルクアリール、置換複素環式アリール、置換Ｃ4 〜Ｃ23アルク複素環式アリールおよび−Ｙ−Ａｒからなる群より選ばれ、
Ｘが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、−ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 Ｒ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、ｍは１〜３であり、およびＸa はハロゲンを表し；および
Ａｒは過ハロ置換までのハロゲンにより非置換または置換した窒素、酸素および硫黄からなる群より選ばれる０〜２個の基を含む５〜１０個の芳香族構造を表し、任意にはＺn1により置換していてもよく、ｎ１は０〜３であり、および各Ｚは−ＣＮ、−ＣＯ2 Ｒ5 、−Ｃ（Ｏ）Ｒ5 、＝Ｏ、−Ｃ（Ｏ）ＮＲ5 Ｒ5'、−Ｃ（Ｏ）−Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ1 〜Ｃ10アルコキシ、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'および−ＮＲ5 Ｃ（Ｏ）ＯＲ5'、Ｃ1 〜Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換される）
で示される化合物。
【請求項５６】  Ｂが
【化４５】
2001526220.tif 000045
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−、−ＯＣＨ2 −からなる群より選ばれ、
Ｘa はハロゲンを表し、
Ｑは０〜２個の窒素を含む６個の芳香族構造を表し、過ハロ置換までのハロゲンにより置換または非置換され、
Ｑ1 は３〜１０個の炭素原子およびＮ、ＯおよびＳからなる群より選ばれる０〜４個の基の一環式または二環式芳香族構造を表し、過ハロ置換までのハロゲンにより非置換または非置換され、
Ｘ、Ｚ、ｎおよびｎｌは請求項５５記載と同様であり、およびｓは０または１である請求項５５記載の化合物。
【請求項５７】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、または−Ｙ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項５６記載の化合物。
【請求項５８】  Ｂが式：
【化４６】
2001526220.tif 000046
で表され、Ｑはフェニル、Ｑ1 はフェニルまたはピリジニル、Ｙは−Ｏ−または−Ｓ−を表し、ｓは１、ｎは０、およびｎｌは０である請求項５５記載の化合物。
【請求項５９】  式：
【化４７】
2001526220.tif 000047
（式中、Ｂは請求項５５記載と同様）で示される請求項５５記載の化合物。
【請求項６０】  Ｎ−（５−ｔｅｒｔ−ブチル−２−（１−チア−３，４−ジアゾリル））−Ｎ' −（３−（４−ピリジニル）チオフェニル）尿素、
Ｎ−（５−ｔｅｒｔ−ブチル−２−（１−チア−３，４−ジアゾリル））−Ｎ' −（４−（４−ピリジニル）オキシフェニル）尿素、
Ｎ−（５−ｔｅｒｔ−ブチル−２−（１−チア−３，４−ジアゾリル））−Ｎ' −（３−（４−（２−メチルカルバモイル）ピリジル）オキシフェニル）尿素、Ｎ−（５−ｔｅｒｔ−ブチル−２−（１−チア−３，４−ジアゾリル））−Ｎ' −（４−（４−（２−メチルカルバモイル）ピリジル）オキシフェニル）尿素、Ｎ−（５−ｔｅｒｔ−ブチル−２−（１−チア−３，４−ジアゾリル））−Ｎ' −（３−クロロ−４−（４−（２−メチルカルバモイル）ピリジル）オキシフェニル）尿素、
Ｎ−（５−ｔｅｒｔ−ブチル−２−（１−チア−３，４−ジアゾリル））−Ｎ' −（２−クロロ−４−（４−（２−メチルカルバモイル）ピリジル）オキシフェニル）尿素、
Ｎ−（５−ｔｅｒｔ−ブチル−２−（１−チア−３，４−ジアゾリル））−Ｎ' −（３−（４−ピリジル）チオフェニル）尿素、
Ｎ−（５−ｔｅｒｔ−ブチル−２−（１−チア−３，４−ジアゾリル））−Ｎ' −（２−メチル−４−（４−（２−メチルカルバモイル）ピリジル）オキシフェニル）尿素、
Ｎ−（５−（１，１−ジメチルプロプ−１−イル）−２−（１−チア−３，４−ジアゾリル））−Ｎ' −（４−（３−カルバモイルフェニル）オキシフェニル）尿素
およびそれらの薬学的に許容しうる塩からなる群より選ばれる請求項５５記載の化合物。
【請求項６１】  式：
【化４８】
2001526220.tif 000048
（式中、Ｒ1 はハロゲン、Ｃ3 〜Ｃ10アルキル、Ｃ1 〜Ｃ13複素環式アリール、Ｃ6 〜Ｃ14アリール、Ｃ7 〜Ｃ24アルクアリール、Ｃ3 〜Ｃ10シクロアルキル、過ハロ置換までのＣ1 〜Ｃ10アルキル、過ハロ置換までのＣ3 〜Ｃ10シクロアルキル、過ハロ置換までのＣ1 〜Ｃ13複素環式アリール、過ハロ置換までのＣ6 〜Ｃ14アリールおよび過ハロ置換までのＣ7 〜Ｃ24アルクアリールからなる群より選ばれ；
Ｂは
【化４９】
2001526220.tif 000049
からなる群より選ばれる芳香族環状構造を表し；
過ハロ置換までのハロゲンにより置換または非置換され、およびｎは０〜２であり、
各Ｘ1 はＸの群または−ＣＮ、−ＯＲ5 、−ＮＲ5 Ｒ5'、Ｃ1 〜Ｃ10アルキルからなる群より独立して選ばれ、および
Ｘは−ＣＯ2 Ｒ5 、−Ｃ（Ｏ）ＮＲ5 Ｒ5'、−Ｃ（Ｏ）Ｒ5 、＝Ｏ、−ＮＯ2 、−ＳＲ5 、−ＮＲ5 Ｃ（Ｏ）ＯＲ5'、−ＮＲ5 Ｃ（Ｏ）Ｒ5'、Ｃ3 〜Ｃ10シクロアルキル、Ｃ6 〜Ｃ14アリール、Ｃ7 〜Ｃ24アルクアリール、Ｃ3 〜Ｃ13複素環式アリール、Ｃ4 〜Ｃ23アルク複素環式アリール、および置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換Ｃ6 〜Ｃ14アリール、置換Ｃ7 〜Ｃ24アルクアリール、置換Ｃ3 〜Ｃ13複素環式アリール、置換Ｃ4 〜Ｃ23アルク複素環式アリールおよび−Ｙ−Ａｒからなる群より選ばれ、
Ｘが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、−ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 Ｒ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、
ｍは１〜３であり、およびＸa はハロゲンを表し；および
Ａｒは過ハロ置換までのハロゲンにより非置換または置換した窒素、酸素および硫黄からなる群より選ばれる０〜２個の基を含む５〜１０個の芳香族構造を表し、任意にはＺn1により置換していてもよく、ｎ１は０〜３であり、および各Ｚは−ＣＮ、−ＣＯ2 Ｒ5 、＝Ｏ、−Ｃ（Ｏ）Ｒ5 、−Ｃ（Ｏ）ＮＲ5 Ｒ5'、−Ｃ（Ｏ）−ＮＲ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ1 〜Ｃ10アルコキシ、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'、−ＮＲ5 Ｃ（Ｏ）ＯＲ5'、Ｃ1 〜Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換される）
で示される化合物。
【請求項６２】  式：
【化５０】
2001526220.tif 000050
（式中、Ｂは請求項６１記載と同様）で示される化合物。
【請求項６３】  Ｂが
【化５１】
2001526220.tif 000051
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−および−ＯＣＨ2 −からなる群より選ばれ、
Ｘa はハロゲンを表し、
Ｑは０〜２個の窒素を含む６個の芳香族構造を表し、過ハロ置換までのハロゲンにより置換または非置換され、
Ｑ1 は３〜１０個の炭素原子およびＮ、ＯおよびＳからなる群より選ばれる０〜４個の基の一環式または二環式芳香族構造を表し、過ハロ置換までのハロゲンにより非置換または非置換され、
Ｘ、Ｚ、ｎおよびｎｌは請求項６１記載と同様であり、およびｓは０または１である請求項６１記載の化合物。
【請求項６４】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、または−Ｙ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項６３記載の化合物。
【請求項６５】  Ｂが過ハロ置換までのフェニル、過ハロ置換までのピリジニルまたは式：
【化５２】
2001526220.tif 000052
で表され、Ｑはフェニル、Ｑ1 はフェニルまたはピリジニル、Ｙは−Ｏ−または−Ｓ−、Ｚは−Ｃｌ、−ＣＨ3 、−ＯＨまたはＯＣＨ3 を表し、ｎは０、ｓは０または１、およびｎｌは０〜２である請求項６１記載の化合物。
【請求項６６】  式：
【化５３】
2001526220.tif 000053
（式中、Ｒ1 はハロゲン、Ｃ3 〜Ｃ10アルキル、Ｃ3 〜Ｃ10シクロアルキル、Ｃ1 〜Ｃ13複素環式アリール、Ｃ6 〜Ｃ14アリール、Ｃ7 〜Ｃ24アルクアリール、過ハロ置換までのＣ1 〜Ｃ10アルキル、過ハロ置換までのＣ3 〜Ｃ10シクロアルキル、過ハロ置換までのＣ1 〜Ｃ13複素環式アリール、過ハロ置換までのＣ6 〜Ｃ14アリール、過ハロ置換までのＣ7 〜Ｃ24アルクアリールを表し；Ｒb は水素またはハロゲンを表し、ならびに
Ｂは
【化５４】
2001526220.tif 000054
からなる群より選ばれる三環式までの芳香族環状構造であり；
過ハロ置換までのハロゲンにより置換または非置換され、および
ｎは０〜３であり、および
各Ｘは−ＣＮ、−ＣＯ2 Ｒ5 、−Ｃ（Ｏ）ＮＲ5 Ｒ5'、−Ｃ（Ｏ）Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、Ｃ1 〜Ｃ10アルキル、Ｃ2 〜Ｃ10アルケニル、Ｃ1 〜Ｃ10アルコキシ、Ｃ3 〜Ｃ10シクロアルキル、Ｃ6 〜Ｃ14アリール、Ｃ7 〜Ｃ24アルクアリール、Ｃ3 〜Ｃ13複素環式アリール、Ｃ4 〜Ｃ23アルク複素環式アリール、および置換Ｃ1 〜Ｃ10アルキル、置換Ｃ2 〜Ｃ10アルケニル、置換Ｃ1 〜Ｃ10アルコキシ、置換Ｃ3 〜Ｃ10シクロアルキル、置換Ｃ4 〜Ｃ23アルク複素環式アリールおよび−Ｙ−Ａｒからなる群より独立して選ばれ、
Ｘが置換された基である場合、−ＣＮ、−ＣＯ2 Ｒ5 、−Ｃ（Ｏ）Ｒ5 、−Ｃ（Ｏ）ＮＲ5 Ｒ5'、−ＯＲ5 、−ＳＲ5 、−ＮＲ5 Ｒ5'、−ＮＯ2 、−ＮＲ5 Ｃ（Ｏ）Ｒ5'、−ＮＲ5 Ｃ（Ｏ）ＯＲ5'および過ハロ置換までのハロゲンからなる群より独立して選ばれる一またはそれ以上の置換基により置換され；
Ｒ5 およびＲ5'はＨ、Ｃ1 〜Ｃ10アルキル、Ｃ2 〜Ｃ10アルケニル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、過ハロ置換までのＣ1 〜Ｃ10アルキル、過ハロ置換までのＣ2 〜Ｃ10アルケニル、過ハロ置換までのＣ3 〜Ｃ10シクロアルキル、過ハロ置換までのＣ6 〜Ｃ14アリールおよび過ハロ置換までのＣ3 〜Ｃ13複素環式アリールから独立して選ばれ、
Ｙは−Ｏ−、−Ｓ−、−Ｎ（Ｒ5 ）−、−（ＣＨ2 ）−m 、−Ｃ（Ｏ）−、−ＣＨ（ＯＨ）−、−（ＣＨ2 ）m Ｏ−、−ＮＲ5 Ｃ（Ｏ）ＮＲ5 Ｒ5'−、−ＮＲ5 Ｃ（Ｏ）−、−Ｃ（Ｏ）ＮＲ5 −、−（ＣＨ2 ）m Ｓ−、−（ＣＨ2 ）m Ｎ（Ｒ5 ）−、−Ｏ（ＣＨ2 ）m −、−ＣＨＸa 、−ＣＸa 2 −、−Ｓ−（ＣＨ2 ）m −および−Ｎ（Ｒ5 ）（ＣＨ2 ）m −を表し、
ｍは１〜３であり、およびＸa はハロゲンを表し；および
Ａｒは過ハロ置換までのハロゲンにより非置換または置換した窒素、酸素および硫黄からなる群より選ばれる０〜２個の基を含む５〜１０個の芳香族構造を表し、任意にはＺn1により置換していてもよく、ｎ１は０〜３であり、および各Ｚは−ＣＮ、−ＣＯ2 Ｒ5 、−Ｃ（Ｏ）Ｒ5 、＝Ｏ、−Ｃ（Ｏ）ＮＲ5 Ｒ5'、−Ｃ（Ｏ）Ｒ5 、−ＮＯ2 、−ＯＲ5 、−ＳＲ5 、−ＮＲ5 Ｒ5'、−ＮＲ5 Ｃ（Ｏ）ＯＲ5'、−ＮＲ5 Ｃ（Ｏ）Ｒ5'、−ＳＯ2 Ｒ5 、−ＳＯ2 Ｒ5 Ｒ5'、Ｃ1 〜Ｃ10アルキル、Ｃ3 〜Ｃ10シクロアルキル、Ｃ6 〜Ｃ14アリール、Ｃ3 〜Ｃ13複素環式アリール、Ｃ7 〜Ｃ24アルクアリール、Ｃ4 〜Ｃ23アルク複素環式アリール、置換Ｃ1 〜Ｃ10アルキル、置換Ｃ3 〜Ｃ10シクロアルキル、置換Ｃ7 〜Ｃ24アルクアリールおよび置換Ｃ4 〜Ｃ23アルク複素環式アリールからなる群より独立して選ばれ；Ｚが置換された基である場合、−ＣＮ、−ＣＯ2 Ｒ5 、−Ｃ（Ｏ）ＮＲ5 Ｒ5'、＝Ｏ、−ＯＲ5 、−ＳＲ5 、−ＮＯ2 、−ＮＲ5 Ｒ5'、−ＮＲ5 Ｃ（Ｏ）Ｒ5'、−ＮＲ5 Ｃ（Ｏ）ＯＲ5'、Ｃ1 〜Ｃ10アルキル、Ｃ1 〜Ｃ10アルコキシル、Ｃ3 〜Ｃ10シクロアルキル、Ｃ3 〜Ｃ13複素環式アリール、Ｃ6 〜Ｃ14アリール、Ｃ4 〜Ｃ24アルク複素環式アリールおよびＣ7 〜Ｃ24アルクアリールからなる群より独立して選ばれる一またはそれ以上の置換基により置換される）
で示される化合物。
【請求項６７】  Ｂが
【化５５】
2001526220.tif 000055
で表され、
Ｙは−Ｏ−、−Ｓ−、−ＣＨ2 −、−ＳＣＨ2 −、−ＣＨ2 Ｓ−、−ＣＨ（ＯＨ）−、−Ｃ（Ｏ）−、−ＣＸa 2 、−ＣＸa Ｈ−、−ＣＨ2 Ｏ−および−ＯＣＨ2 −からなる群より選ばれ、
Ｘa はハロゲンを表し、
Ｑは０〜２個の窒素を含む６個の芳香族構造を表し、過ハロ置換までのハロゲンにより置換または非置換され、
Ｑ1 は３〜１０個の炭素原子およびＮ、ＯおよびＳからなる群より選ばれる０〜４個の基の一環式または二環式芳香族構造を表し、過ハロ置換までのハロゲンにより非置換または非置換され、
Ｘ、Ｚ、ｎおよびｎｌは請求項６６記載と同様であり、およびｓは０または１である請求項６６記載の化合物。
【請求項６８】  Ｑはフェニルまたはピリジニルを表し、過ハロ置換までのハロゲンにより置換または非置換され、
Ｑ1 はフェニル、ピリジニル、ナフチル、ピリミジニル、キノリン、イソキノリン、イミダゾールおよびベンゾチアゾリルからなる群より選ばれ、過ハロ置換までのハロゲンにより置換または非置換され、または−Ｙ−Ｑ1 が過ハロ置換までのハロゲンにより置換または非置換されたフタリミジニルを表し、
ＺおよびＸは−Ｒ6 、−ＯＲ6 および−ＮＨＲ7 からなる群より独立して選ばれ、Ｒ6 は水素、Ｃ1 〜Ｃ10アルキルまたはＣ3 〜Ｃ10シクロアルキルを表し、およびＲ7 は水素、Ｃ3 〜Ｃ10アルキル、Ｃ3 〜Ｃ6 シクロアルキルおよびＣ6 〜Ｃ10アリールからなる群より選ばれ、Ｒ6 およびＲ7 は過ハロ置換までのハロゲンにより置換されていてもよい請求項６７記載の化合物。
【請求項６９】  式：
【化５６】
2001526220.tif 000056
（式中、Ｂは請求項６６記載と同様）で示される化合物。
【請求項７０】  Ｂが式：
【化５７】
2001526220.tif 000057
で表され、Ｑはフェニル、Ｑ1 はフェニルまたはピリジニル、およびＹは−Ｏ−または−Ｓ−、Ｚは−Ｃｌまたは−ＯＣＨ3 を表し、ｎは０、ｓは０、およびｎｌは０〜２である請求項６６記載の化合物。
【請求項７１】  請求項３１記載の化合物および生理学的に許容しうる担体からなる薬学的組成物。
【請求項７２】  請求項３７記載の化合物および生理学的に許容しうる担体からなる薬学的組成物。
【請求項７３】  請求項４３記載の化合物および生理学的に許容しうる担体からなる薬学的組成物。
【請求項７４】  請求項４９記載の化合物および生理学的に許容しうる担体からなる薬学的組成物。
【請求項７５】  請求項５５記載の化合物および生理学的に許容しうる担体からなる薬学的組成物。
【請求項７６】  請求項６１記載の化合物および生理学的に許容しうる担体からなる薬学的組成物。
【請求項７７】  請求項６６記載の化合物および生理学的に許容しうる担体からなる薬学的組成物。